(57)【要約】【課題】操作性および読取性の良い電子番組情報を生成することのできる電子番組情報受信装置、電子番組表生成方法、電子番組表生成プログラム、および、当該電子番組表生成プログラムが記録されたコンピュータ読取可能な記録媒体を提供すること。【解決手段】ＥＰＧ情報を受信するチューナと、ＥＰＧ情報に含まれる番組の録画予約または視聴予約を設定する予約設定部６１２とを備えるテレビジョン装置であって、受信されたＥＰＧ情報から番組テーブルを生成するＥＰＧ情報処理部と、予約設定された予約番組の予約番組リストが表示された予約番組リスト画面を表示させ、予約番組リスト中の予約番組の選択を促す予約番組リスト画面表示部６１３と、選択された予約番組を含む番組テーブルの領域を表示する電子番組表画像を生成するテレビ番組表画面表示部６１８とを備える。【選択図】図３
2007028378.tif 000002
【特許請求の範囲】
【請求項１】
電子番組情報を受信する受信手段と、前記受信手段により受信された電子番組情報に含まれる番組の録画予約または視聴予約を設定する予約設定手段とを備える電子番組情報受信装置であって、
前記受信手段により受信された電子番組情報から番組テーブルを生成する番組テーブル生成手段と、
前記予約設定手段により録画予約または視聴予約された予約番組の予約番組リストを生成する予約番組リスト生成手段と、
前記予約番組リスト中の予約番組の選択を促す予約番組選択手段と、
前記予約番組選択手段により選択された予約番組を含む番組テーブルの領域を表示する電子番組表画像を生成する電子番組表生成手段とを備えることを特徴とする電子番組情報受信装置。
【請求項２】
請求項１に記載の電子番組情報受信装置において、
テレビジョン放送信号を受信するテレビジョン放送受信手段と、
前記テレビジョン放送受信手段により受信中のテレビジョン放送信号に基づく受信番組のチャンネルおよび時間情報を取得する受信番組情報取得手段とを備え、
前記予約番組選択手段は、前記予約番組リスト中の予約番組、および、前記受信番組のうちいずれかの選択を促し、
前記電子番組表生成手段は、前記予約番組選択手段による選択結果に基づいて、前記予約番組選択手段により選択された予約番組を含む電子番組表画像か、前記受信番組を含む電子番組表画像かを生成することを特徴とする電子番組情報受信装置。
【請求項３】
電子番組情報を受信する受信手段と、前記受信手段により受信された電子番組情報に含まれる番組の録画予約または視聴予約を設定する予約設定手段とを備える電子番組情報受信装置の電子番組表生成方法であって、
前記電子番組情報受信装置に、
前記受信手段により受信された電子番組情報から番組テーブルを生成する番組テーブル生成ステップと、
録画予約または視聴予約された予約番組の予約番組リストを生成する予約番組リスト生成ステップと、
前記予約番組リスト中の予約番組の選択を促す予約番組選択ステップと、
前記予約番組選択ステップで選択された予約番組を含む番組テーブルの領域を表示する電子番組表画像を生成する電子番組表生成ステップとを実行させることを特徴とする電子番組情報受信装置の電子番組表生成方法。
【請求項４】
電子番組情報を受信する受信手段と、前記受信手段により受信された電子番組情報に含まれる番組の録画予約または視聴予約を設定する予約設定手段とを備える電子番組情報受信装置に電子番組表を生成させるためのコンピュータ実行可能な電子番組表生成プログラムであって、
前記電子番組情報受信装置に、
前記受信手段により受信された電子番組情報から番組テーブルを生成する番組テーブル生成ステップと、
録画予約または視聴予約された予約番組の予約番組リストを生成する予約番組リスト生成ステップと、
前記予約番組リスト中の予約番組の選択を促す予約番組選択ステップと、
前記予約番組選択ステップで選択された予約番組を含む番組テーブルの領域を表示する電子番組表画像を生成する電子番組表生成ステップとを実行させることを特徴とする電子番組表生成プログラム。
【請求項５】
請求項４に記載の電子番組表生成プログラムが記録されたことを特徴とするコンピュータ読取可能な記録媒体。
【発明の詳細な説明】
【技術分野】
【０００１】
本発明は、電子番組情報受信装置、電子番組表生成方法、電子番組表生成プログラム、および、当該電子番組表生成プログラムが記録されたコンピュータ読取可能な記録媒体に関する。
【背景技術】
【０００２】
近年、セットトップボックス等の電子番組情報受信装置が普及しつつある。電子番組情報受信装置とは、例えば、テレビジョン放送信号とともに搬送されるＥＰＧ（Electronic Program Guide）情報を受信し、受信されたＥＰＧ情報に基づくテレビ番組表を生成する装置である。すなわち、ＥＰＧ情報には、テレビ番組表を生成するために必要な番組の放送時間、チャンネル、タイトル等が含まれている。
このような電子番組情報受信装置は、テレビジョン装置等に接続されることが多く、電子番組情報受信装置により生成されたテレビ番組表は、テレビジョン装置に出力され、ディスプレイに表示される。ユーザは、テレビジョン装置のディスプレイに表示されたテレビ番組表を用いて、番組の放送予定を調べたり、番組の録画予約や視聴予約等を設定したりすることができる。
【０００３】
一般的には、電子番組情報受信装置は、テレビジョン装置により表示中の番組が含まれたテレビ番組表を生成する。すなわち、ユーザが、リモートコントローラのテレビ番組表表示ボタンを押下すると、現時間帯（現時刻から前後２〜３時間程度）、および、表示中の番組のチャンネル欄が含まれたテレビ番組表が表示される。
しかし、例えば、ユーザが予め予約設定しておいた番組（予約番組）の近傍のテレビ番組表を知りたい場合、ユーザは、テレビ番組表の表示範囲を移動させる必要がある。このため、ユーザは、ディスプレイ上のテレビ番組表に設けられたスクロールバーを操作したり、予約番組の放送日時を基に検索を行ったりするなど、煩雑な探索作業を強いられることになる。
【０００４】
これに対し、テレビ番組表上の番組の探索を容易にする電子番組情報受信装置が提供されている（例えば、特許文献１参照）。特許文献１に記載の電子番組ガイド表示制御装置は、テレビ番組中の番組を、放送日、放送時間、ジャンルの探索条件で容易に探索できるようにしたものである。
【０００５】
【特許文献１】特開平９−２８４７３４号公報
【発明の開示】
【発明が解決しようとする課題】
【０００６】
しかしながら、特許文献１に記載の電子番組ガイド表示制御装置においても、ユーザがリモートコントローラのテレビ番組表表示ボタンを押下した際に、ディスプレイ上に表示されるテレビ番組表は、現時間帯のテレビ番組表であり、放送時間の探索条件を用いて予約番組の探索を行わなければならない点は同様である。
従って、特許文献１に記載の電子番組ガイド表示制御装置は、予約番組近傍のテレビ番組表を容易に、かつ、速やかに表示させることができないという課題を十分に解決しているとは言えない。
【０００７】
本発明の目的は、操作性および読取性の良い電子番組情報を生成することのできる電子番組情報受信装置、電子番組表生成方法、電子番組表生成プログラム、および、当該電子番組表生成プログラムが記録されたコンピュータ読取可能な記録媒体を提供することである。
【課題を解決するための手段】
【０００８】
前記した目的を達するために、本発明の電子番組情報受信装置は、電子番組情報を受信する受信手段と、受信手段により受信された電子番組情報に含まれる番組の録画予約または視聴予約を設定する予約設定手段とを備える電子番組情報受信装置であって、前記受信手段により受信された電子番組情報から番組テーブルを生成する番組テーブル生成手段と、前記予約設定手段により録画予約または視聴予約された予約番組の予約番組リストを生成する予約番組リスト生成手段と、前記予約番組リスト中の予約番組の選択を促す予約番組選択手段と、前記予約番組選択手段により選択された予約番組を含む番組テーブルの領域を表示する電子番組表画像を生成する電子番組表生成手段とを備えることを特徴とする。
【０００９】
電子番組情報として、例えば、テレビジョン放送信号等とともに搬送されるＥＰＧ情報を挙げることができる。電子番組情報には、番組の番組情報（例えば、放送日時、チャンネル、タイトルおよび内容等）が含まれている。
番組テーブルとは、電子番組情報の番組を、番組情報を基に分類・配置したものである。例えば、電子番組情報の番組を、放送日時とチャンネルを基に分類し、テーブル様に配置した番組テーブルが挙げられる。
電子番組表画像として、例えば、テレビ番組の放送予定や番組内容を示すテレビ番組表画像等を挙げることができる。
【００１０】
ここで、本発明の電子番組情報受信装置は、一般的に、表示領域を備えた画像表示装置に接続される。そして、本発明の電子番組情報受信装置で生成された予約番組リストおよび電子番組表画像は、画像表示装置に出力され表示領域に表示される。
【００１１】
本発明によれば、予約番組選択手段により予約番組リストから予約番組が選択されると、電子番組表生成部によって、選択された予約番組を含む電子番組表が生成される。すなわち、画像表示装置の表示領域に予約番組リストが表示されている際に、ユーザが、予約番組リスト中の予約番組を選択すると、表示領域には、選択された予約番組を含む電子番組表が表示される。例えば、電子番組表がテレビ番組表であった場合、予約番組と同時間帯のテレビ番組表が表示されることになる。
【００１２】
これにより、ユーザが、予約番組と同時間帯に放送される番組を確認したい場合に、予約番組リストから、直接、予約番組と同時間帯の電子番組表画像を表示させることができる。すなわち、ユーザは、予約番組と同時間帯のテレビ番組表を表示させるために、電子番組表画像の表示範囲を変更したり、予約番組の放送時間を基に検索したりする等の操作を行う必要がない。
従って、本発明の電子番組情報受信装置は、予約番組近傍の電子番組表を容易に、かつ、速やかに表示させることができるので、操作性および読取性の良い電子番組表を表示することができる。
【００１３】
本発明では、テレビジョン放送信号を受信するテレビジョン放送受信手段と、前記テレビジョン放送受信手段により受信中のテレビジョン放送信号に基づく受信番組のチャンネルおよび時間情報を取得する受信番組情報取得手段とを備え、前記予約番組選択手段は、前記予約番組リスト中の予約番組、および、前記受信番組のうちいずれかの選択を促し、前記電子番組表生成手段は、前記予約番組選択手段による選択結果に基づいて、前記予約番組選択手段により選択された予約番組を含む電子番組表画像か、前記受信番組を含む電子番組表画像かを生成することが好ましい。
【００１４】
本発明によれば、予約番組選択手段により受信番組が選択されると、受信番組情報取得手段は、受信番組の時間情報とチャンネルを取得する。本発明の電子番組表受信装置に画像表示装置が接続されている場合、受信番組とは、すなわち、画像表示装置の表示領域で表示中の番組となる。
そして、電子番組表生成手段は、取得された時間情報およびチャンネルに基づいて番組テーブルを探索し、受信番組が含まれる電子番組表画像を生成する。
従って、本発明の電子番組情報受信装置は、予約番組リストから、直接、現時間帯の電子番組表を表示させることができるので、操作性および読取性の良い電子番組表を表示することができる。
【００１５】
本発明は、前述した電子番組情報受信装置だけではなく、電子番組情報受信装置の電子番組表生成方法としても構成することができる。すなわち、本発明の電子番組表生成方法は、電子番組情報を受信する受信手段と、受信手段により受信された電子番組情報に含まれる番組の録画予約または視聴予約を設定する予約設定手段とを備える電子番組情報受信装置の電子番組表生成方法であって、前記電子番組情報受信装置に、前記受信手段により受信された電子番組情報から番組テーブルを生成する番組テーブル生成ステップと、録画予約または視聴予約された予約番組の予約番組リストを生成する予約番組リスト生成ステップと、前記予約番組リスト中の予約番組の選択を促す予約番組選択ステップと、前記予約番組選択ステップで選択された予約番組を含む番組テーブルの領域を表示する電子番組表画像を生成する電子番組表生成ステップとを実行させることを特徴とする。
【００１６】
本発明によれば、前述した作用および効果と同様の作用および効果を享受することができる。さらに、本発明を電子番組表生成方法として構成したので、任意の電子番組情報受信装置で実行されることができる。つまり、本発明の電子番組表生成方法を用いて電子番組情報受信装置の電子番組表生成処理を行うことにより、前述した本発明の電子番組情報受信装置の作用および効果を享受することができるので、汎用性を拡大することができる。
【００１７】
また、本発明は、電子番組表生成方法の発明を電子番組情報受信装置上で実行させる電子番組表生成プログラムとしても構成することができる。
本発明をプログラムとして構成することにより、任意の電子番組情報受信装置を、前述した作用および効果を享受できる電子番組情報受信装置とすることができるので、汎用性を拡大することができる。
【００１８】
本発明の記録媒体は、前記電子番組表生成プログラムがコンピュータ読取可能に記録されていることを特徴とする。
ここで、記録媒体として、ＦＲＯＭ（Flash Read Only Memory）等の半導体メモリ、ＤＡＴ（Digital Audio Tape）等の磁気テープ、ＦＤ（Flexible Disc）等の磁気ディスク、ＣＤ（Compact Disc）およびＤＶＤ（Digital Versatile Disc）等の光ディスク等が挙げられる。
本発明によれば、記録媒体にコンピュータ読取可能に記録された電子番組表生成プログラムを、任意の電子番組情報受信装置が実行することで、前述した作用および効果を享受できる。
【発明を実施するための最良の形態】
【００１９】
本発明の一実施形態を、図１〜図６を用いて説明する。本実施形態では、電子番組情報受信装置として、電子番組情報受信機能を備えたテレビジョン装置１を採用する。
〔１．テレビジョン装置１の構成〕
〔1-1．テレビジョン装置１の概略構成〕
図１は、本実施形態のテレビジョン装置１および録画手段４を示す概略正面図である。
本実施形態のテレビジョン装置１は、図１に示すように、装置本体２と、この装置本体２を遠隔操作するリモートコントローラ３とを備えている。
装置本体２の筐体正面には、テレビジョン画面が表示されるディスプレイ２１が設けられている。
【００２０】
リモートコントローラ３は、複数の操作キーを備え、ユーザにより操作キーが押下されると、当該押下キーに応じた操作信号を赤外線により装置本体２に送信する。操作信号として、例えば、後述するテレビ番組表画面を表示させるためのテレビ番組表表示信号、予約番組リスト画面を表示させるための予約番組リスト表示信号等が挙げられる。
なお、リモートコントローラ３は、赤外線によって操作信号を送信するとしたが、電波によって操作信号を送信するように構成してもよい。
録画手段４は、装置本体２に電気的に接続されており、装置本体２から出力されるテレビジョン放送信号を記録媒体に記録する。録画手段４として、例えばＤＶＤ（Digital Versatile Disc）レコーダや、ＶＨＳ（Video Home System）レコーダ等が挙げられる。
【００２１】
〔1-2．装置本体２の内部構成〕
図２は、装置本体２の内部構成を示すブロック図である。
装置本体２は、アンテナ１１を介して受信されるテレビジョン放送信号から画像情報および音声情報を取得し、当該画像情報に応じたテレビジョン画像を形成、表示するとともに、当該音声情報に応じた音声を出力する。また、装置本体２は、テレビジョン放送信号とともに搬送されるＥＰＧ（Electronic Program Guide）情報を受信する。なお、ＥＰＧ情報は、本発明の電子番組情報に相当する。
装置本体２は、図２に示すように、画像表示手段５と、制御基板６とを内蔵している。
画像表示手段５は、制御基板６から出力された画像信号に応じたテレビジョン画面等の表示画面を、ディスプレイ２１上に表示するものである。
【００２２】
〔1-3．制御基板６の構成〕
制御基板６は、装置本体２を制御する回路基板として構成されている。制御基板６は、図２に示すように、ＣＰＵ（Central Processing Unit）６１と、メモリ６２と、チューナ６３と、デマルチプレクサ６４と、画像情報処理部６５と、ＥＰＧ情報処理部６６と、タイマ６７と、信号インターフェイス（信号Ｉ／Ｆ）６８と、録画用信号インターフェイス（録画用信号Ｉ／Ｆ）６９とを備えている。
【００２３】
このうち、チューナ６３は、アンテナ１１を介して受信されるテレビジョン放送信号のうち、ユーザが選択したチャンネルに応じた周波数のテレビジョン放送信号を選択して受信し、一定周波数の信号に変換してデマルチプレクサ６４に出力する。チューナ６３は、本発明の受信手段およびテレビジョン放送受信手段に相当する。ただし、チューナ６３は、ＣＰＵ６１から録画実行の制御命令が出力されると、受信されたテレビジョン放送信号を録画用信号Ｉ／Ｆ６９に出力する。
デマルチプレクサ６４は、チューナ６３により変換された信号から、画像情報、音声情報、および、ＥＰＧ情報を分離、抽出する。これらのうち、画像情報は、画像情報処理部６５に出力され、ＥＰＧ情報は、ＥＰＧ情報処理部６６に出力される。また、音声情報は、図示を省略するが、音声情報処理部で処理され、スピーカを介して当該音声情報に応じた音声として出力される。
【００２４】
画像情報処理部６５は、デマルチプレクサ６４から出力された画像情報に対して、画像処理および描画処理を行う。画像情報処理部６５は、画像処理部６５１と、描画処理部６５２と、バッファ６５３と、画像出力部６５４とを備えている。
画像処理部６５１は、デマルチプレクサ６４から出力された画像情報を、画像表示手段５の仕様に適応する１フレーム毎の画像情報に変換して描画処理部６５２に出力する。
描画処理部６５２は、画像処理部６５１から出力された画像情報に対し、ＣＰＵ６１から出力される制御命令に応じて、画像サイズの調整や表示位置の調整、および、表示画像の形成等を行い、バッファ６５３に１フレームの表示画像として出力する。
画像出力部６５４は、バッファ６５３内に格納された表示画像を読取り、画像信号として画像表示手段５に出力する。
【００２５】
メモリ６２には、ＣＰＵ６１によって処理されるプログラムや各種データが格納される。メモリ６２は、番組テーブル記録領域６２１と、予約情報記録領域６２２と、プログラム記録領域６２３とを備えている。
このうち、番組テーブル記録領域６２１には、後述するＥＰＧ情報処理部６６により処理されたＥＰＧ情報が格納される。予約情報記録領域６２２には、後述するＣＰＵ６１により処理された予約情報が記録される。さらに、プログラム記録領域６２３には、テレビジョン装置制御プログラム、電子番組表生成プログラム等が格納される。
【００２６】
ＥＰＧ情報処理部６６は、デマルチプレクサ６４から出力されたＥＰＧ情報から、番組テーブルを生成して、メモリ６２内の番組テーブル記録領域６２１に記録する。すなわち、ＥＰＧ情報処理部６６は、本発明の番組テーブル生成手段に相当する。
本実施形態では、ＥＰＧ情報には、テレビジョン放送信号により放送される一週間分の番組の番組情報（放送日、放送時間、チャンネル、タイトル、番組内容、ジャンル等）が含まれている。
番組テーブルとは、テレビジョン放送信号により放送される番組、および、その番組情報を、テーブルの一軸を放送日時、他軸をチャンネルとして整列させたものである。
なお、ＥＰＧ情報処理部６６は、定期的に新しいＥＰＧ情報を取得しており、取得されたＥＰＧ情報から生成される番組テーブルに基づいて、番組テーブル記録領域６２１に記録されている前回の番組テーブルを更新する。すなわち、メモリ６２内の番組テーブル記録領域６２１には、最新の番組テーブルが記録されていることとなる。
【００２７】
タイマ６７は、時間情報として現在の日時、すなわち、現在の年、月、日および時刻を計時している。
信号Ｉ／Ｆ６８は、リモートコントローラ３から送信された赤外線の操作信号を受信し、デジタル形式の電気信号に変換してＣＰＵ６１に出力する。
録画用信号Ｉ／Ｆ６９は、チューナ６３から出力されたテレビジョン放送信号を、ＩＥＥＥ１９３４（Institute of Electrical and Electronic Engineers 1394）技術を用いて、録画手段４に出力する。
【００２８】
〔1-4.ＣＰＵの機能的構成〕
図３は、ＣＰＵ６１の機能的構成を示すブロック図である。
ＣＰＵ６１は、制御基板６全体の駆動を制御するものであり、メモリ６２内のプログラム記録領域６２３からテレビジョン装置制御プログラムを読込んで実行し、制御基板６を構成する各処理部６３〜６７に制御命令を出力する。さらに、ＣＰＵ６１は、必要に応じて、電子番組表生成プログラムを読込んで電子番組表生成処理を実行する。
ＣＰＵ６１は、入力信号検出部６１１と、予約設定部６１２と、予約番組リスト画面表示部６１３と、テレビ番組表生成部６１４とを備えている。
【００２９】
入力信号検出部６１１は、リモートコントローラ３から信号Ｉ／Ｆ６８を介して入力される操作信号や、制御基板６上の各処理部６３〜６７から出力される信号を検出する。例えば、入力信号検出部６１１は、前述したテレビ番組表表示信号や予約番組リスト表示信号等を検出する。
【００３０】
予約設定部６１２は、本発明の予約設定手段に相当し、ディスプレイ２１上に表示されたテレビ番組表画像に含まれる番組の予約、例えば、録画予約および視聴予約等の設定を行う。
具体的には、予約設定部６１２は、メモリ６２内の番組テーブル記録領域６２１に記録された番組テーブルから、予約される番組（予約番組）の放送日時、チャンネル、および、タイトルを取得する。そして、予約設定部６１２は、取得された予約番組の放送日時、チャンネル、タイトルを、予約番組の予約情報として、メモリ６２内の予約情報記録領域６２２に記録する。
【００３１】
予約番組リスト画面表示部６１３は、入力信号検出部６１１により予約番組リスト表示信号が検出されると、メモリ６２内の予約情報記録領域６２２に記録されている予約情報を読取り、当該予約情報を含んだ予約番組リスト画面形成命令を、バスＢを介して描画処理部６５２に出力する。
ここで、予約番組リスト画面とは、テレビジョン装置１に設定されている予約のリスト（予約番組リスト）を表示する表示画面である。予約番組リスト画面には、各予約番組の予約情報が整列されて表示される。さらに、予約番組リスト画面には、予約番組リストに加えて、テレビ番組表表示キーと、予約番組リスト中の各予約番組およびテレビ番組表表示キーのいずれかを選択するためのカーソルとが表示される。すなわち、予約番組リスト画面表示部６１３は、本発明の予約番組リスト生成手段および予約番組選択手段に相当する。
【００３２】
テレビ番組表生成部６１４は、入力信号検出部６１１により検出されたテレビ番組表表示信号に応じて、テレビ番組表画面形成命令を描画処理部６５２に出力する。テレビ番組表生成部６１４は、画面種別判定部６１５と、選択先判定部６１６と、基準番組情報取得部６１７と、テレビ番組表画面表示部６１８とを備えている。
画面種別判定部６１５は、入力信号検出部６１１によりテレビ番組表表示信号が検出されると、この信号検出時に、画像表示手段５により表示されている表示画面がテレビジョン画面か、または、前述した予約番組リスト画面かを判定する。
【００３３】
選択先判定部６１６は、画面種別判定部６１５により表示画面が予約番組リスト画面
であると判定された場合に、予約番組リスト画面上におけるカーソルの選択先を判定する。カーソルの選択先とは、前述したように、予約番組リスト中の予約番組のいずれか、または、テレビ番組表表示キーである。
【００３４】
基準番組情報取得部６１７は、後述する基準番組を特定し、基準番組の放送日時、および、チャンネルを取得する。基準番組情報取得部６１７は、受信番組情報取得部６１７１と、予約情報取得手段としての予約情報取得部６１７２とを備えている。
受信番組情報取得部６１７１は、前述した画面種別判定部６１５により、表示画面がテレビジョン画面であると判定された場合、および、選択先判定部６１６によりカーソルの選択先がテレビ番組表表示キーであると判定された場合に、現在、チューナ６３により受信されているテレビジョン放送信号に応じた番組を、基準番組と特定する。そして、受信番組情報取得部６１７１は、タイマ６７から現在の時間情報を取得するとともに、チューナ６３から、受信中のテレビジョン放送信号のチャンネルを取得する。なお、取得された現在の時間情報、および、受信中のチャンネルを、基準番組情報とする。
【００３５】
予約情報取得部６１７２は、選択先判定部６１６により、カーソルの選択先が予約番組リスト中の予約番組のいずれかであると判定された場合に、カーソルにより選択された予約番組を、基準番組と特定する。そして、予約情報取得部６１７２は、基準番組の放送日時およびチャンネルを、予約情報記録領域６２２に記録されている予約情報から読取る。なお、読取られた予約番組の放送日時およびチャンネルを、基準番組情報とする。
【００３６】
テレビ番組表画面表示部６１８は、基準番組情報取得部６１７により取得された基準番組情報に応じて、テレビ番組表画面形成命令を、バスＢを介して描画処理部６５２に出力する。
なお、テレビ番組表画面とは、電子番組表画像としてのテレビ番組表画像を表示する表示画面である。
さらに、テレビ番組表とは、テレビジョン放送信号により放送される番組の放送予定、および、番組の番組情報が表として構成されたものである。
本実施形態のテレビ番組表では、番組の番組情報を格納するセルが、縦方向に放送時間、横方向にチャンネルを基準として配置されている。また、ディスプレイ２１上に表示されるテレビ番組表画像は、縦方向に３時間分、および、横方向に４チャンネルの番組を表示している。このテレビ番組表上の番組は、セルごとに移動するカーソルによって選択される。このようなテレビ番組表は、メモリ６２内の番組テーブル記録領域６２１に記録された番組テーブルに基づいて形成される。
すなわち、テレビ番組表表示部６１８は、本発明の電子番組表生成手段に相当する。テレビ番組表画面表示部６１８は、範囲指定部６１８１と、番組テーブル読取部６１８２とを備えている。
【００３７】
範囲指定部６１８１は、基準番組情報取得部６１７により取得された基準番組情報を基に、テレビ番組表の表示範囲を指定する。
すなわち、基準番組の放送日時およびチャンネルが、例えば、４月１５日２２時〜２３時、ＢＳ１０２チャンネルであった場合、範囲指定部６１８１は、テレビ番組表の表示範囲を、縦方向は、４月１５日２１時から４月１５日２４時まで、横方向は、ＢＳ１００チャンネルから、ＢＳ１０３チャンネルまでと指定する。
【００３８】
番組テーブル読取部６１８２は、範囲指定部６１８１により指定された表示範囲に相当する番組テーブルを、番組テーブル記録領域６２１から読取る。そして、番組テーブル読取部６１８２は、当該番組テーブルが含まれたテレビ番組表画面形成命令を、描画処理部６５２に出力する。
描画処理部６５２では、前述したように、ＣＰＵ６１から出力された命令に従って表示画面を形成する。すなわち、本実施形態では、描画処理部６５２は、前述したテレビ番組表形成命令を受信すると、当該テレビ番組表形成命令に含まれる番組テーブルに基づいて、テレビ番組表画面を形成する。
【００３９】
〔２．制御基板６の作用〕
制御基板６の作用について、図４〜図６を用いて説明する。
制御基板６は、リモートコントローラ３から出力される各種操作信号に応じて、電子番組表生成処理を実行する。電子番組表生成処理は、メモリ６２内のプログラム記録領域６２３に格納された電子番組表生成プログラムに従って実行される。
図４は、電子番組表生成処理を説明するためのフロー図、図５は、ディスプレイ２１上に表示された予約番組リスト画面７を示す模式図、図６は、ディスプレイ２１上に表示されたテレビ番組表画面８を示す模式図である。
【００４０】
図４に示すように、制御基板６を構成するＣＰＵ６１において、入力信号検出部６１１は、リモートコントローラ３から出力される操作信号を監視しており、テレビ番組表表示信号を検出したか否かを判定している（Ｓ１）。
テレビ番組表表示信号を検出しない場合、入力信号検出部６１１は、操作信号の監視を続行する。
一方、テレビ番組表表示信号が検出された場合、テレビ番組表生成部６１４の画面種別判定部６１５は、テレビ番組表表示信号検出時に画像表示手段５により表示されている表示画面が、テレビジョン画面、または、予約番組リスト画面のいずれであるかを判定する（Ｓ２）。
【００４１】
表示画面がテレビジョン画面であると判定された場合、基準番組情報取得部６１７の受信番組情報取得部６１７１は、現在、チューナ６３により受信されているテレビジョン放送信号に応じた番組を基準番組と特定する。そして、受信番組情報取得部６１７１は、タイマ６７から現在の時間情報、チューナ６３から受信中のテレビジョン放送信号のチャンネルを取得する（Ｓ３）。
一方、表示画面が、図５に示すような番組予約番組リスト画面７であると判定された場合、選択先判定部６１６は、予約番組リスト画面７上におけるカーソルＫの選択先を判定する（Ｓ４）。
【００４２】
予約番組リスト画面７上におけるカーソルＫの選択先が、テレビ番組表表示キー７２であると判定された場合、受信番組情報取得部６１７１は、処理Ｓ３において、現在、チューナ６３により受信されているテレビジョン放送信号に応じた番組を基準番組と特定する。そして、受信番組情報取得部６１７１は、タイマ６７から現在の時間情報、チューナ６３から受信中のテレビジョン放送信号のチャンネルを取得する。
一方、予約番組リスト画面７上におけるカーソルＫの選択先が、予約番組リスト７１中の予約番組Ｐであると判定された場合、基準番組情報取得部６１７の予約情報取得部６１７２は、予約番組Ｐを基準番組と特定する。そして、予約情報取得部６１７２は、メモリ６２内の予約情報記録領域６２２を探索し、予約番組Ｐの予約情報から、予約番組Ｐの放送日時およびチャンネルを取得する（Ｓ５）。
【００４３】
テレビ番組表画面表示部６１８の範囲指定部６１８１は、処理Ｓ３または処理Ｓ５で取得された基準番組情報（時間情報、放送日時およびチャンネル）に基づいて、テレビ番組表画面に表示されるテレビ番組表の表示範囲を指定する（Ｓ６）。
次に、番組テーブル読取部６１８２は、範囲指定部６１８１により指定された表示範囲に相当する番組テーブルを、メモリ６２内の番組テーブル記録領域６２１から読取る（Ｓ７）。そして、番組テーブル読取部６１８２は、読取られた番組テーブルとともにテレビ番組表画面形成命令を、描画処理部６５２に出力する（Ｓ８）。
【００４４】
描画処理部６５２により形成されたテレビ番組表画面は、画像表示手段５によりディスプレイ２１に表示される。
図６は、処理Ｓ４で、予約番組リスト画面７上におけるカーソルＫの選択先が予約番組Ｐであると判定された場合に、形成・表示されるテレビ番組表画面８の模式図である。
テレビ番組表画面８では、予約番組リスト画面７上で選択された予約番組Ｐが含まれたテレビ番組表８１が表示されている。このテレビ番組表８１は、予約番組ＰのセルにカーソルＴを重ねて表示し、さらに、予約番組Ｐを中心として、縦方向に３時間分、横方向に４チャンネル分の番組を表示している。
【００４５】
本発明によれば、予約番組リスト画面７上で、予約番組リスト７１から予約番組Ｐが選択されると、テレビ番組表画面表示部６１８によって、選択された予約番組Ｐを含むテレビ番組表画面８が生成される。すなわち、ディスプレイ２１上に予約番組リスト画面７が表示されている際に、ユーザが、予約番組リスト７１中の予約番組Ｐを選択すると、ディプレイ２１上には、選択された予約番組Ｐと同時間帯のテレビ番組表８１が表示されることになる。
【００４６】
これにより、ユーザが、予約番組Ｐと同時間帯に放送される番組を確認したい場合に、予約番組リスト画面７から、直接、予約番組Ｐと同時間帯のテレビ番組表画面８を表示させることができる。すなわち、ユーザは、予約番組Ｐと同時間帯のテレビ番組表画面８を表示させるために、テレビ番組表８１の表示範囲を変更したり、予約番組Ｐの放送時間を基に検索したりするなどの操作を行う必要がない。
従って、本発明のテレビジョン装置１は、予約番組Ｐ近傍のテレビ番組表８１を容易に、かつ、速やかに表示させることができるので、操作性および読取性の良いテレビ番組表８１を表示することができる。
【００４７】
本発明によれば、予約番組リスト画面７上で、チューナ６３により受信中の番組が選択されると、受信番組情報取得部６１７１は、タイマ６７から現在の時間情報、および、チューナ６３から、受信中の番組のチャンネルを取得する。
そして、テレビ番組表画面表示部６１８は、取得された時間情報およびチャンネルに相当する番組テーブルに基づいて、受信中の番組が含まれるテレビ番組表を生成する。
従って、本発明のテレビジョン装置１は、予約番組リスト画面７から、直接、現時間帯のテレビ番組表を表示させることができるので、操作性および読取性の良いテレビ番組表を表示することができる。
【００４８】
本実施形態では、制御基板６は、メモリ６２内のプログラム記憶領域６２３に格納された電子番組表生成プログラムに従って、電子番組表生成処理を実行するとした。従って、電子番組表生成プログラムを、任意の電子番組情報受信装置にインストールすることで、前述した作用および効果を享受できる電子番組情報受信装置とすることができるので、汎用性を拡大することができる。
また、電子番組表生成プログラムを、記録媒体にコンピュータ読取可能に記録してもよい。記録媒体に記録された電子番組表生成プログラムを、任意の電子番組情報受信装置が実行することで、前述した作用および効果を享受できる。
【００４９】
〔３．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
前期実施形態では、電子番組表受信装置として、電子番組表受信機能を備えたテレビジョン装置１を採用した。このように、本発明では、電子番組表受信装置を備えた画像表示装置として、フロントプロジェクタ、リアプロジェクタ、プラズマテレビ、液晶テレビ、および、ＣＲＴ（Cathode Ray Tube）方式テレビ等を採用してもよい。すなわち、画像表示手段５として、液晶パネル、または、デジタル・マイクロミラー・デバイス（テキサスインスツルメント社商標）、ＰＤＰ（Plasma Display Panel）等を備える電気光学装置、および、ＣＲＴディスプレイ等が挙げられる。
【００５０】
さらに、本発明では、電子番組表受信装置として、セットトップボックスおよびデジタルチューナ等を採用してもよい。本発明のセットトップボックスおよびデジタルチューナを、上述したリアプロジェクタ、液晶テレビ等の画像表示装置に接続することで、本発明のセットボックス内で形成されたテレビ番組表を、画像表示装置のディスプレイに表示させることができる。
なお、前記実施形態では、電子番組表受信装置としてテレビジョン装置１を採用したが、テレビジョン放送を受信しない電子番組表受信装置でもよい。ただし、このような場合、ＥＰＧ情報は、テレビジョン放送信号とともに搬送されるのではなく、インターネット回線等を介して搬送されるものとなる。
本発明では、ＥＰＧ情報は、テレビジョン放送信号の隙間を使って搬送されるもの、インターネット回線を介して搬送されるもの、および、データ放送信号に含まれて搬送されるもの等が考えられる。
【００５１】
前記実施形態では、現在の時間情報をタイマ６７から取得するとしたが、本発明では、デジタルテレビジョン放送信号が付加データとして搬送する現在の日時を、時間情報として取得してもよい。
前記実施形態では、録画手段４を、テレビジョン装置１に電気的に接続された外部機器としたが、本発明では、テレビジョン装置１に内蔵されるものであってもよい。
前記実施形態では、録画用Ｉ／Ｆ７９は、ＩＥＥＥ１９３４技術を用いて録画手段４と通信を行うとしたが、本発明では、テレビジョン装置１および録画手段４専用のケーブル等を用いて通信を行ってもよい。
前記実施形態では、テレビ番組表は、幅方向にチャンネル、高さ方向に放送時間を割当てたが、これとは逆に、幅方向に放送時間、高さ方向にチャンネルを割当ててもよい。
前記実施形態では、テレビ番組表の各セルに表示させる番組情報は、番組のタイトルとしたが、タイトルに加え、番組内容や出演者等を表示させてもよい。
【産業上の利用可能性】
【００５２】
本発明は、電子番組情報受信装置、電子番組表生成方法、電子番組表生成プログラム、および、当該電子番組表生成プログラムが記録されたコンピュータ読取可能な記録媒体に利用することができる。
【図面の簡単な説明】
【００５３】
【図１】本発明の実施形態に係るテレビジョン装置の概略構成を示す概略正面図。
【図２】前記実施形態に係るテレビジョン装置の内部構成を示すブロック図。
【図３】前記実施形態に係るＣＰＵの機能的構成を示すブロック図。
【図４】前記実施形態に係る制御基板の作用を説明するためのフロー図。
【図５】前記実施形態に係る予約番組リスト画面を示す模式図。
【図６】前記実施形態に係るテレビ番組表画面を示す模式図。
【符号の説明】
【００５４】
１…テレビジョン装置（電子番組情報受信手段）、４…録画手段、５…画像表示手段、６１３…予約番組リスト画面表示部（予約番組リスト生成手段、予約番組選択手段）、６１７１…受信番組情報取得部（受信番組情報取得手段）、６１２…予約設定部（予約設定手段）、６１８…テレビ番組表画面表示部（電子番組表生成手段）、６３…チューナ（受信手段、テレビジョン放送受信手段）６６…ＥＰＧ情報処理部（番組テーブル生成手段）、７…予約番組リスト画面、７１…予約番組リスト、８…テレビ番組表画面、８１…テレビ番組表
【図１】
2007028378.tif 000003
【図２】
2007028378.tif 000004
【図３】
2007028378.tif 000005
【図４】
2007028378.tif 000006
【図５】
2007028378.tif 000007
【図６】
2007028378.tif 000008